(57)【要約】【課題】内側に傾斜した支持部材を備え、物品を安定保持できる載置台でありながら、上述の余剰スペースを有効利用することができ、効率的な物品載置台を提供せんとする。【解決手段】少なくとも一方の支持部材３を、前後所定の間隔をおいて内側に傾斜して延びる一対の腕部３１、３１と、これら腕部の上端間において前記物品側面７１を当接支持する当接部３２とより構成し、当該支持部材３の腕部３１、３１間に形成される開放空間Ｓ２に対して、前記腕部間より挿入することで鞄等の他物品８を収納可能とした。【選択図】　　　　　図１
2004073273.tif 000002
【特許請求の範囲】
【請求項１】
物品が載置される基台上面の左右側端に、前記物品の側面を支持する一対の支持部材を立設してなる物品載置台であって、少なくとも一方の支持部材を、前後所定の間隔をおいて内側に傾斜して延びる一対の腕部と、これら腕部の上端間において前記物品側面を当接支持する当接部とより構成し、前記腕部間に形成される開口を通じて当該支持部材と基台との間の空間を上方に開放させたことを特徴とする物品載置台。
【請求項２】
前記腕部を前記基台上面の左右一側端に立設した一対の縦杆より構成し、前記当接部をこれら縦杆の上端間に渡設した薄板状の当板より構成してなり、且つ、他方の支持部材が、前記基台上面の他側端に略垂直に延びる板材を立設してなる請求項１記載の物品載置台。
【請求項３】
前記一対の縦杆の基端側に落止め部材を渡設してなる請求項２記載の物品載置台。
【請求項４】
前記基台に横方向への伸縮機構を設け、前記支持部材間の距離を調整可能としてなる請求項１〜３の何れか１項に記載の物品載置台。
【請求項５】
前記基台の底部に複数のキャスターを配設してなる請求項１〜４の何れか１項に記載の物品載置台。
【発明の詳細な説明】
【０００１】
【発明の属する技術分野】
本発明は、載置したパーソナルコンピュータの本体装置や鞄等を安定保持する物品載置台に関する。
【０００２】
【従来の技術】
この種の物品載置台としては、例えば本出願人の登録意匠１０６３１６９号に開示している電子機器用品整理用ワゴンがある。
このワゴンはコンピュータのＣＰＵ等の物品を載置する基台とその両側端に左右から当該物品を支持する支持部材として側パネルが立設されており、物品の幅に対応して左右の側パネルが自由に移動できるように構成されている。
【０００３】
ところで、これら物品載置台は基台上の物品を安定に保持するため、物品を基台の中央寄りに載置させる必要があった。したがって、上記双方の側パネルはそれぞれ内側に傾斜して設けられ、当該側パネルにより物品を中央部に保持するとともに、当該傾斜した各側パネルと基台との間には、物品が載置されない余剰スペースが形成されていた。
【０００４】
このような余剰スペースの存在は、載置される物品の幅に比べて載置台全体の幅を相当大きくすることとなり、また、設置スペースもその分必要となり、効率的ではなかった。
【０００５】
【発明が解決しようとする課題】
そこで、本発明が前述の状況に鑑み、解決しようとするところは、内側に傾斜した支持部材を備え、物品を安定保持できる載置台でありながら、上述の余剰スペースを有効利用することができ、効率的な物品載置台を提供する点にある。
【０００６】
【課題を解決するための手段】
本発明は、前述の課題解決のために、物品が載置される基台上面の左右側端に、前記物品の側面を支持する一対の支持部材を立設してなる物品載置台であって、少なくとも一方の支持部材を、前後所定の間隔をおいて内側に傾斜して延びる一対の腕部と、これら腕部の上端間において前記物品側面を当接支持する当接部とより構成し、前記腕部間に形成される開口を通じて当該支持部材と基台との間の空間を上方に開放させたことを特徴とする物品載置台を構成した。
【０００７】
このような物品載置台では、支持部材間の収納空間に物品を安定保持できるとともに、前記腕部間に形成される開口を通じて当該支持部材と基台との間の余剰空間が上方に開放され、他物品を前記腕部間に挿入することができ、当該腕部間に形成された開放空間に前記他物品を載置できるスペースが確保されることになる。
【０００８】
具体的には、前記腕部を前記基台上面の左右一側端に立設した一対の縦杆より構成し、前記当接部をこれら縦杆の上端間に渡設した薄板状の当板より構成してなり、且つ、他方の支持部材が、前記基台上面の他側端に略垂直に延びる板材を立設してなるものが好ましい。これにより前記縦杆の撓みによる弾性復元力を利用して前記当板により物品を確りと支持できるとともに、前記略垂直な板材を壁面やデスクの脚部に沿って効率良く配置可能となる。
【０００９】
ここで、前記一対の縦杆の基端側に落止め部材を渡設したものでは、上記腕部間の開放空間に載置した鞄等に当接し、基台側端からの落下が未然に防止される。
【００１０】
また、前記基台に横方向への伸縮機構を設け、前記支持部材間の距離を調整可能としたものでは、載置される物品の幅に合わせて支持部材間の距離を調整し、これら支持部材を物品側面に当接させて安定保持を図ることができる。
【００１１】
更に、前記基台の底部に複数のキャスターを配設し、ワゴンとして利用できるものが好ましい実施例である。
【００１２】
【発明の実施の形態】
次に、本発明の実施形態を添付図面に基づき詳細に説明する。
【００１３】
図１は、本発明に係る物品載置台の全体構成を示す斜視図であり、図１〜８は代表的実施形態を示し、図中符号１は物品載置台、２は基台、３、４は支持部材をそれぞれ示している。
【００１４】
本発明の物品載置台１は、基台上面２０の左右側端２１、２２に一対の支持部材３、４を立設し、図２（ａ）に示すように、基台２上の前記支持部材３、４間の収納空間Ｓ１に載置された物品７の側面７１、７２を、それぞれ前記支持部材３、４で側方から支持して安定保持するものであり、少なくとも一方の支持部材３を、前後所定の間隔をおいて内側に傾斜して延びる一対の腕部３１、３１と、これら腕部の上端間において前記物品側面７１を当接支持する当接部３２とより構成することで、図２（ｂ）に示すように、当該支持部材３の腕部３１、３１間に形成される開放空間Ｓ２に対し、前記腕部間より挿入することで鞄等の他物品８を収納可能としたことを特徴としている。
尚、本実施形態では、支持部材３、４間に載置される物品７をパーソナルコンピュータの本体装置とした例を示したが、それ以外の物品、例えば鞄等を載置するものであってもよい。
【００１５】
より詳しくは、前記一方の支持部材３は、前記腕部３１、３１として基台上面２０の左右一側端２１に前後所定の間隔をおいて、内側に傾斜して延びる一対の縦杆５１、５１が立設されるとともに、前記当接部３２として、前記縦杆の上端５１ａ、５１ａ間に前記物品の側面に当接する薄板状の当板５２が渡設されている。
また、他方の支持部材４は、前記基台上面２０の他側端２２に略垂直に延びた板材４０を立設して構成されており、基台２上に載置された物品７は、前記当板５２及び複数の通孔を有する前記板材４０の内面により側方から安定保持される。
【００１６】
各縦杆５１は、垂直な基端部５１ｂを残して内側へ屈曲し、物品側面に近接する上端部で再び垂直方向に屈曲してなる形状とされており、素材はスチールロットやスチールパイプが用いられ、前記基台上面２０の一側端２１前後の隅部に設けた取付孔２１ｃ、２１ｃにそれぞれ前記基端部５１ｂ、５１ｂを装着することで互いに略平行に設けられている。
【００１７】
前記当板５２は、前記縦杆５１の上端部に溶接されたスチール板で構成されているが、当該スチール板の代わりに他の素材からなる板材をネジ止め等により渡設したものであってもよく、また、物品に当接する内面側にクッション材を覆設したものが好ましい。
また、図４に示すように、スチールロットやスチールパイプ等の一本の連続した長尺部材を屈曲させ、縦杆５１、５１及びその上端間の上記当接部３２としての横杆５３を一体的に折曲形成してなるものや、これら縦杆５１、５１並びに当板５２又は横杆５３の全体を合成樹脂により一体成型してなるものも好ましい実施例である。
【００１８】
縦杆５１、５１の基端側の所定位置には落止め部材３３が渡設されており、上記開放空間Ｓ２に載置した鞄等に当接することで基台側端２１からの落下を未然に防止する。この落止め部材３３は、前記落下が防止できる反面、位置によっては鞄等を載置できる開放空間が狭くなってしまうため出来るだけ基台２の側端に位置していることが好ましく、本例では、前記縦杆５１の垂直な基端部の屈曲箇所に、前記落止め部材３３としてのスチール製の横杆５４の端部が支持されている。落止め部材３３は、前記横杆５４以外に、板材やゴム又は布製のベルト、ゴム紐等であってもよく、図５に示すように、各縦杆５１の基端部を基台側端２１に沿って所定長さ中央寄りに屈曲させた段部５５を設け、当該段部５５により前記鞄等を支持して落下を防止するものであってもよい。
【００１９】
前記基台２は横方向への伸縮機構が設けられ、上面に載置される物品に応じて上記当板５２と板材４０との間の距離を調整できるように構成されている。
具体的には、図３に示すように、上面に平らな載置面が形成された左右一対の分割基材２３、２４と、これら分割基材を互いに連結する連結部材２５とより構成され、それぞれ上記縦杆５１及び板材４０が側端部に立設された前記分割基材２３、２４は、前記連結部材２５を介して離間距離が調整できるように互いに連結されている。
【００２０】
各分割基材はスチール板を筒状に板金加工してなり、特に、図面左側の分割基材２４の外側面を上方に延設することにより上述の板材４０が連続的に構成されており、各分割基材の少なくとも前側端に位置する筒状開口部２３ａ、２４ａにはそれぞれ樹脂カバー２７が装着され、優れた外観性を保持している。
また、連結部材２５は同じく上面に平らな載置面を有するスチール製の板材からなり、各分割基材の上板裏面に沿って左右に摺動可能に装着され、各分割基材の底板凹部に取り付けたストッパーネジ２６により前記上板裏面に圧着固定されている。前記連結部材２５の両端には端部を下方に折り曲げた折曲部２５ｄが設けられ、前記ストッパーネジ２６の先端部に係合することで各分割基材２３、２４の外方へのスライド移動が規制される。
【００２１】
図３（ａ）は左右の分割基材２３、２４を互いに接合させた最も幅狭な姿勢、（ｂ）は広げた姿勢を示し、このように伸縮機構で収納空間Ｓ１の幅を適宜調整可能としたことで載置される物品の幅に合わせて常に当板５２及び板材４０を物品側面に当接させることができ、特に、前記空間Ｓ１をそこに載置する物品より僅かに狭い幅に設定しておき、内側に傾斜した前記縦杆５１の撓みによる弾性復元力を利用して前記当板５２により物品をより安定に保持させることも可能となる。
【００２２】
尚、基台の伸縮機構は以上の構造に限定されず、例えば上記連結部材２５の一端側を一方の分割基材の上板裏面に溶接等で片持ち状に固定し、他方の分割基材の上板裏面に対して突出した他端側を摺動可能に装着してなるものや、図６に示すように、一方の分割基材２４Ａの底板上面に連結部材２５Ａを溶接等で片持ち状に固定し、他方の分割基材２３Ａの底板上面に対して突出した他端側を摺動可能に装着してなり、当該他端側には摺動方向に沿って所定間隔を置いてネジ孔２５ｃ、・・・を設け、分割基材２３Ａの底板に設けた通孔２３ｃを貫通した取付ネジ２８を螺合することで両分割基材２３Ａ、２４Ａ間の離間距離が調整可能とされている。この場合、図７に示すように、各分割基材２３Ａ、２４Ａを互いに櫛歯状に接合する形状に構成したものでは、離間距離に限らず安定した載置面が維持される。
【００２３】
基台２の底部には、物品載置台１全体を移動可能に支持する複数のキャスター６、・・・が配設されている。これらキャスター６は、図３に示すように、全体の重心を下げるべく基台に一部埋設された状態に取り付けられており、これにより優れた外観性も維持されている。その他、キャスターを取り付ける基台底面に段差を設けたり、基台の周縁部に下方に屈曲した目隠部材を設けること等により、前記キャスターが外部から隠れることが外観上好ましい。このようにキャスターを低床タイプとすれば、基台２の下部と床との間の隙間が小さいため靴や足の先が入らず傷等の問題が未然に回避される。
尚、図６に示すように、キャスターの代わりにアジャスター機構付きの脚部材６Ａを設けても良い。
【００２４】
これら物品載置台１は、略垂直な板材４０からなる支持部材４を壁面や机の脚部に沿って効率良く配置可能としたものであるが、本発明はこれに限定されず、例えば図８に示すように、双方の支持部材３、４を内側に傾斜した腕部３１、３１と当接部３２とより構成することも好ましく、具体的には、板材４０の代わりに支持部材３と同様、縦杆５１、当板５２及び横杆５４により支持部材４が構成されている。これにより、当板５２、５２間の収納空間Ｓ１を挟んで、左右に開放空間Ｓ２、Ｓ２が形成され、それぞれ一対の縦杆５１、５１の間から他物品を挿入して当該空間Ｓ２に載置することが可能となる。
【００２５】
【発明の効果】
以上のように、本発明の物品載置台によれば、支持部材間の収納空間に物品を安定保持できるとともに、前記腕部間に形成される開口を通じて当該支持部材と基台との間の余剰空間が上方に開放され、他物品を前記腕部間に挿入することができ、当該腕部間に形成された開放空間に前記他物品を載置できるスペースが確保されることになり、従来はデッドスペースであった余剰空間を有効活用できる。
【００２６】
また、前記腕部を前記基台上面の左右一側端に立設した一対の縦杆より構成し、前記当接部をこれら縦杆の上端間に渡設した薄板状の当板より構成してなり、且つ、他方の支持部材が、前記基台上面の他側端に略垂直に延びる板材を立設したので、前記縦杆の撓みによる弾性復元力を利用して前記当板により物品を確りと支持できるとともに、前記略垂直な板材を壁面やデスクの脚部に沿って効率良く配置できる。
【００２７】
また、前記一対の縦杆の基端側に落止め部材を渡設したので、上記腕部間の開放空間に載置した鞄等に当接し、基台側端からの落下を未然に防止できる。
【００２８】
また、前記基台に横方向への伸縮機構を設け、前記支持部材間の距離を調整可能としたので、載置される物品の幅に合わせて支持部材間の距離を調整し、これら支持部材を物品側面に当接させて安定保持を図ることができる。
【００２９】
また、前記基台の底部に複数のキャスターを配設したので、ワゴンとして有効に利用できる。
【図面の簡単な説明】
【図１】本発明の代表的実施形態の物品載置台の全体構成を示す斜視図。
【図２】（ａ）は、物品を支持部材間の収納空間に載置された様子を示す説明図。（ｂ）は、支持部材の腕部間に形成される開放空間に他物品を載置した様子を示す説明図。
【図３】（ａ）は、左右の分割基材を互いに接合させた最も幅狭な姿勢を示す縦断面図。（ｂ）は、左右の分割基材を離間させて基台全体を広げた姿勢を示す縦断面図。
【図４】縦杆及びその上端間の上記当接部としての横杆を一体的に折曲形成した変形例を示す斜視図。
【図５】縦杆の基端側に段部を設けた変形例を示す斜視図。
【図６】基台の伸縮機構の変形例を示す縦断面図。
【図７】同じく伸縮機構の変形例を示す斜視図。
【図８】双方の支持部材を内側に傾斜した腕部と当接部とより構成した変形例を示す斜視図。
【符号の説明】
Ｓ１、Ｓ２　空間　　　　　１　物品載置台
２　基台　　　　　　　　　３、４　支持部材
６　キャスター　　　　　　６Ａ　脚部材
７　物品　　　　　　　　　８　物品
２０　上面　　　　　　　　２１　側端
２１ｃ　取付孔　　　　　　２２　側端
２３、２３Ａ　分割基材　　２３ａ　開口部
２３ｃ　通孔　　　　　　　２４、２４Ａ　分割基材
２４ａ　開口部　　　　　　２５、２５Ａ　連結部材
２５ｃ　ネジ孔　　　　　　２５ｄ　折曲部
２６　ストッパーネジ　　　２７　樹脂カバー
２８　取付ネジ　　　　　　３１　腕部
３２　当接部　　　　　　　３３　落止め部材
４０　板材　　　　　　　　５１　縦杆
５１ａ　上端　　　　　　　５１ｂ　基端部
５２　当板　　　　　　　　５３　横杆
５４　横杆　　　　　　　　５５　段部
７１、７２　側面
【図１】
2004073273.tif 000003
【図２】
2004073273.tif 000004
【図３】
2004073273.tif 000005
【図４】
2004073273.tif 000006
【図５】
2004073273.tif 000007
【図６】
2004073273.tif 000008
【図７】
2004073273.tif 000009
【図８】
2004073273.tif 000010